(57)【要約】【課題】  設置スペースに応じて、要に臨んで設置方向を適宜選択して使用することができるとともに、必要に応じて、内部の清掃を容易にして、かつ、複数個を連結して貯留容量を増加することもできる雨水貯留タンクを提供すること。【解決手段】  容器本体１には、辺長が相異なる長短２辺の設置面11（11Ｌ・11Ｓ）をそれぞれ設け、かつ、これらの長設置面11Ｌと短設置面11Ｓとは互いに直交している一方、当該容器本体１の隅角部においては、前記各設置面11の端部から外向きに延成されて開口する筒口部12をそれぞれ突成する。【選択図】  図１
2009299393.tif 000002
【特許請求の範囲】
【請求項１】
建物の屋根などに配設された雨樋Ａから連通して、当該雨樋Ａに集成された雨水を貯留することができるプラスチック製の中空容器であって、
容器本体１には、辺長が相異なる長短２辺の設置面11（11Ｌ・11Ｓ）がそれぞれ設けられており、かつ、これらの長設置面11Ｌと短設置面11Ｓとは互いに直交している一方、
当該容器本体１の隅角部においては、前記各設置面11の端部から外向きに延成されて開口する筒口部12がそれぞれ突成されており、
容器本体１の短設置面11Ｓを接地せしめて水平に載置したときには、鉛直上向きに開口する筒口部12Ｌから雨水が供給されて、かつ、水平に開口する筒口部12Ｓを注水口として排水可能である一方、
容器本体１の長設置面11Ｌを接地せしめて水平に載置したときには、鉛直上向きに開口する筒口部12Ｓから雨水が供給されて、かつ、水平に開口する筒口部12Ｌを注水口として排水可能に構成したことを特徴とする雨水貯留タンク。
【請求項２】
容器本体１の内部を洗浄するための開閉自在な清掃口部13を設けたことを特徴とする請求項１記載の雨水貯留タンク。
【請求項３】
容器本体１の短設置面11Ｓを接地せしめて水平に載置するときには、落込部21を上面に有するフレームスタンド２に収容設置可能であることを特徴とする請求項１または２記載の雨水貯留タンク。
【請求項４】
容器本体１の底面隅角部に連結開孔部14が開設されており、この連結開孔部14同士を連結して、複数の容器本体１・１…を一体に連結することによって、タンク全体の貯留容量を増加することができることを特徴とする請求項１〜３の何れか一つに記載の雨水貯留タンク。
【発明の詳細な説明】
【技術分野】
【０００１】
本発明は、雨水の貯留タンクの改良、更に詳しくは、設置スペースに応じて、要に臨んで設置方向を適宜選択して使用することができるとともに、必要に応じて、内部の清掃を容易にして、かつ、複数個を連結して貯留容量を増加することもできる雨水貯留タンクに関するものである。
【背景技術】
【０００２】
周知のとおり、緊急用の飲料水や防火用水、生活用水、樹木の灌水、農業用水などは、上水道の水を使用するのではなく、所謂「中水」として、雨水を資源として有効利用している。
【０００３】
このような背景から、従来、雨水を貯留しておくために、屋根の雨樋に連結して雨水を集めることができ、庭や屋上、建物同士の隙間などに設置することができるタンクが開示されている（例えば、特許文献１参照）。
【０００４】
しかしながら、現在の住宅事情によっては、タンクを設置するための十分なスペースを確保することが困難になってきており、設置用地がないために止むなく上水道の使用を強いられて、水資源の浪費を招くという問題があった。
【特許文献１】登録実用新案第３１２１５８９号公報（第５−１１頁、図１−４）
【発明の開示】
【発明が解決しようとする課題】
【０００５】
本発明は、従来の雨水貯留用のタンクに上記のような問題があったことに鑑みて為されたものであり、その目的とするところは、設置スペースに応じて、要に臨んで設置方向を適宜選択して使用することができるとともに、必要に応じて、内部の清掃を容易にして、かつ、複数個を連結して貯留容量を増加することもできる雨水貯留タンクを提供することにある。
【課題を解決するための手段】
【０００６】
本発明者が上記課題を解決するために採用した手段を添付図面を参照して説明すれば次のとおりである。
【０００７】
即ち、本発明は、建物の屋根などに配設された雨樋Ａから連通して、当該雨樋Ａに集成された雨水を貯留することができるプラスチック製の中空容器であって、
容器本体１には、辺長が相異なる長短２辺の設置面11（11Ｌ・11Ｓ）をそれぞれ設け、かつ、これらの長設置面11Ｌと短設置面11Ｓとは互いに直交している一方、
当該容器本体１の隅角部においては、前記各設置面11の端部から外向きに延成されて開口する筒口部12をそれぞれ突成して、
容器本体１の短設置面11Ｓを接地せしめて水平に載置したときには、鉛直上向きに開口する筒口部12Ｌから雨水が供給されて、かつ、水平に開口する筒口部12Ｓを注水口として排水可能にする一方、
容器本体１の長設置面11Ｌを接地せしめて水平に載置したときには、鉛直上向きに開口する筒口部12Ｓから雨水が供給されて、かつ、水平に開口する筒口部12Ｌを注水口として排水可能に構成するという技術的手段を採用したことによって、雨水貯留タンクを完成させた。
【０００８】
また、本発明は、上記課題を解決するために、必要に応じて上記手段に加え、容器本体１の内部を洗浄するための開閉自在な清掃口部13を設けるという技術的手段を採用した。
【０００９】
更にまた、本発明は、上記課題を解決するために、必要に応じて上記手段に加え、容器本体１の短設置面11Ｓを接地せしめて水平に載置するときには、落込部21を上面に有するフレームスタンド２に収容設置可能にするという技術的手段を採用した。
【００１０】
更にまた、本発明は、上記課題を解決するために、必要に応じて上記手段に加え、容器本体１の底面隅角部に連結開孔部14を開設して、この連結開孔部14同士を連結して、複数の容器本体１・１…を一体に連結することによって、タンク全体の貯留容量を増加することができるようにするという技術的手段を採用した。
【発明の効果】
【００１１】
本発明においては、容器本体に辺長が相異なる長短２辺の設置面をそれぞれ設けて、かつ、これらの長設置面と短設置面とを互いに直交させる一方、当該容器本体の隅角部において、前記各設置面の端部から外向きに延成されて開口する筒口部をそれぞれ突成したことによって、容器本体の短設置面を接地せしめて水平に載置したときには、鉛直上向きに開口する筒口部から雨水を供給して、かつ、水平に開口する筒口部を注水口として排水可能にする一方、容器本体の長設置面を接地せしめて水平に載置したときには、鉛直上向きに開口する筒口部から雨水を供給して、かつ、水平に開口する筒口部を注水口として排水することができる。
【００１２】
したがって、本発明の雨水貯留タンクによれば、容器の縦置きと横置きのレイアウトが自在となるので、設置スペースに応じて、設置方向を選択して使用することができ、狭い場所であっても効率的に設置することができる。
【００１３】
また、必要に応じて、内部の清掃を容易にすることもできるし、更にまた、複数個を連結して貯留容量を増加することもできることから、雨水貯留タンクとしての実用的利用価値は頗る高いものがある。
【発明を実施するための最良の形態】
【００１４】
本発明を実施するための最良の形態を具体的に図示した図面に基づいて更に詳細に説明すると、次のとおりである。
【００１５】
本発明の実施形態を図１から図３に基づいて説明する。図１中、符号１で指示するものは容器本体であり、この容器本体１は、プラスチック材料（本実施形態では、ポリエチレン）を射出成形またはブロー成形により作製された中空体である。
【００１６】
しかして、本発明のタンクは、建物の屋根などに配設された雨樋Ａから連通して、当該雨樋Ａに集成された雨水を貯留することができ、構成するにあっては、まず、容器本体１に、辺長が相異なる長短２辺の設置面11（11Ｌ・11Ｓ）をそれぞれ設ける。本実施形態では、長設置面11Ｌは短設置面11Ｓの２倍以上の長さになっている。
【００１７】
また、容器本体１におけるこれらの長設置面11Ｌと短設置面11Ｓとは互いに直交しており、直方体形状を構成しても良いが、本実施形態では、隅角部はすべて丸みを付けて成形されている。
【００１８】
そして、当該容器本体１の隅角部においては、前記各設置面11の端部から外向きに延成されて開口する筒口部12がそれぞれ突成されている。即ち、設置面を水平にしたときのレベルの延長線上に筒口部12の下面があるため、この設置面を水平に載置した際に、容器内の水をすべて排出することができる。
【００１９】
そして、図２に示すように、容器本体１の短設置面11Ｓを接地せしめて水平に載置したとき（縦置き）には、鉛直上向きに開口する（長辺側の）筒口部12Ｌから雨水が供給される。この際、雨樋Ａと筒口部12とは、ジョイント部材を用いて接続したり、容器内が満水になった場合にオーバーフローするように給水できるようにしても良い。そして、水平に開口する（短辺側の）筒口部12Ｓを注水口として排水可能である。なお、筒口部12には、キャップやバルブなどを設けることができる。
【００２０】
なお、本実施形態では、容器本体１の短設置面11Ｓを接地せしめて水平に載置するときには、落込部21を上面に有するフレームスタンド２に収容設置可能にすることができ、容器本体１を安定的に載置することができる。
【００２１】
また、図３に示すように、容器本体１の長設置面11Ｌを接地せしめて水平に載置した（横置きした）ときには、鉛直上向きに開口する（短辺側の）筒口部12Ｓから雨水が供給されて、かつ、水平に開口する（長辺側の）筒口部12Ｌを注水口として排水可能である。なお、本実施形態では、筒口部12が地面に直接的に接地すると注ぎ勝手が悪くなるので、適宜、台座（例えば、コンクリートブロック）上に載置することができる。
【００２２】
本実施形態では、容器本体１の内部を洗浄するための開閉自在な清掃口部13を設けることができ、この清掃口部13から手を入れて簡単に内部を清掃することができる。
【００２３】
また、本実施形態では、容器本体１の底面隅角部に連結開孔部14を開設して、この連結開孔部14同士をホースや継手などで連結して、複数の容器本体１・１…を一体に連結することによって、一つの供給口と一つの給水口の構成で、タンク全体の貯留容量を増加することができる。
【００２４】
本発明は概ね上記のように構成されるが、図示の実施形態に限定されるものでは決してなく、「特許請求の範囲」の記載内において種々の変更が可能であって、例えば、容器本体１の使用材料は、ポリエチレン（高密度または低密度）に限らず、ポリプロピレン、ポリスチレン、ＡＢＳ樹脂、ポリ塩化ビニル、ポリエステルなどのプラスチック材料を採用することができ、本発明の技術的範囲に属する。
【図面の簡単な説明】
【００２５】
【図１】本発明の実施形態の雨水貯留タンクを表わす全体正面図である。
【図２】本発明の実施形態の雨水貯留タンクを横置きした状態を表わす全体斜視図である。
【図３】本発明の実施形態の雨水貯留タンクを縦置きした状態を表わす分解斜視図である。
【符号の説明】
【００２６】
１    容器本体
11    設置面
11Ｓ  短設置面
11Ｌ  長設置面
12    筒口部
12Ｓ  （短辺側の）筒口部
12Ｌ  （長辺側の）筒口部
13    清掃口部
14    連結開孔部
２    フレームスタンド
21    落込部
Ａ    雨樋
【図１】
2009299393.tif 000003
【図２】
2009299393.tif 000004
【図３】
2009299393.tif 000005